(57)【要約】 【課題】  留守番電話機に併設され優先的に着信するよう設定されたファクシミリ装置において、留守番電話機から切換える呼出回数を誤設定なく自動的に設定できるようにする。【解決手段】  ファクシミリ装置９は、留守番電話機７への着信呼出信号が所定の呼出回数に達したとき当該電話機７から切換えられるものであり、カウント部１９および切換制御部２３を有する。カウント部１９は着信呼出信号の数をカウントする。切換制御部２３は、呼出回数に達する前に留守番電話機７が応答したときのカウント回数を呼出回数として設定するとともに、着信呼出信号がその呼出回数に達したときその切換えを制御する。【選択図】  図１
2007221515.tif 000002
【特許請求の範囲】
【請求項１】
優先的に着信するよう設定された電話機に併設され、着信呼出信号が所定の呼出回数に達したとき当該電話装置から切換えられて応答するファクシミリ装置であって、
前記着信呼出信号の回数をカウントするカウント部と、
前記呼出回数に達する前に前記電話機が応答したときの前記カウント回数を前記呼出回数として設定するとともに、前記着信呼出信号が当該呼出回数に達したとき前記切換えを制御する切換制御部と、
を具備することを特徴とするファクシミリ装置。
【請求項２】
前記呼出回数として設定する前記カウント回数は、複数回着信後のものである請求項１記載のファクシミリ装置。
【請求項３】
前記呼出回数として設定する前記カウント回数は、複数回着信の平均である請求項２記載のファクシミリ装置。
【請求項４】
前記カウント回数を前記呼出回数として設定するモードをサンプリングモードとし、前記切換制御部は当該設定後に前記サンプリングモードを解除するとともに設定された当該呼出回数に基づき前記切換えを制御するよう形成された請求項１〜３いずれか１記載のファクシミリ装置。
【発明の詳細な説明】
【技術分野】
【０００１】
本発明はファクシミリ装置に係り、例えば留守番電話機と併設して使用されるファクシミリ装置の改良に関する。
【背景技術】
【０００２】
従来、留守番電話機にファクシミリ装置を併設して使用する場合、一般的に、留守番電話機が先に応答する留守番電話モードに設定するとともに、留守番電話機が応答した後に発呼側端末からのファクシミリ通信を示す信号（ＣＮＧ信号）が検出されると、回線をファクシミリ装置側に切換えてファクシミリ受信ができるよう構成されている。特開昭６１−１５０４５５号公報（特許文献１）はこの種のものである。
【特許文献１】特開昭６１−１５０４５５号公報
【発明の開示】
【発明が解決しようとする課題】
【０００３】
しかしながら、上述した構成では、留守番電話機が先に応答することが前提となっており、留守番電話機が応答するタイミングすなわち留守番電話機からファクシミリ装置への切換えタイミングを、留守番電話機が応答する呼出信号の回数等を考慮してユーザー自身が設定する必要があり、設定が煩雑であるばかりか、誤設定の原因にもなっていた。
【０００４】
本発明はそのような課題を解決するためになされたもので、留守番電話モードにおいて、留守番電話機から切換えるための呼出信号の回数を自動的に設定することが可能で、その設定を簡素化するとともに誤設定を防止したファクシミリ装置の提供を目的とする。
【課題を解決するための手段】
【０００５】
そのような課題を解決するために本発明のファクシミリ装置は、優先的に着信するよう設定された電話機に併設され、着信呼出信号が所定の呼出回数に達したとき当該電話機から切換えられて応答するファクシミリ装置であり、その着信呼出信号の回数をカウントするカウント部と、その呼出回数に達する前に電話機が応答したときのそのカウント回数を上記呼出回数として設定するとともにその着信呼出信号が当該呼出回数に達したとき上記切換えを制御する切換制御部とを具備している。
【０００６】
そして、本発明では、上記呼出回数として設定するそのカウント回数は、複数回着信後のものとすることが可能である。
【０００７】
また、本発明では、上記呼出回数として設定するそのカウント回数は、複数回着信の平均とすることが可能である。
【０００８】
さらに、本発明では、上記カウント回数をその呼出回数として設定するモードをサンプリングモードとし、当該設定後にそのサンプリングモードを解除するとともに設定されたその呼出回数に基づきその切換えを制御するよう上記切換制御部を形成することも可能である。
【発明の効果】
【０００９】
そのような本発明に係るファクシミリ装置では、着信呼出信号が所定の呼出回数に達したとき当該電話機から切換えられて着信するが、その着信呼出信号の数をカウント部でカウントし、切換制御部にて、その呼出回数に達する前に当該電話機が応答したときのカウント回数をその呼出回数として設定するとともに、その着信呼出信号が当該呼出回数に達したとき切換を制御するから、電話機が応答するための呼出回数を自動的に設定することが可能で、その結果、ファクシミリ装置への切換えタイミングの設定が簡素化されるとともに誤設定も防止できる利点がある。
【００１０】
そして、上記呼出回数として設定するそのカウント回数を複数回の着信後のものとする構成では、直近の使用状態に近づけた設定が可能である。
【００１１】
また、上記呼出回数として設定するそのカウント回数を複数回の着信平均とする構成では、現実の複数回使用に近づけた設定が可能である。
【００１２】
さらに、上記カウント回数をその呼出回数として設定するモードをサンプリングモードとし、当該設定後にそのサンプリングモードを解除して呼出回数に基づき切換え制御するよう上記切換制御部を形成する構成では、必要に応じてサンプリングモードを実行し、現実の使用状態に近づけて設定した後、通常の使用下で電話機からファクシミリ装置に切換え動作させることが可能である。
【発明を実施するための最良の形態】
【００１３】
以下、本発明に係るファクシミリ装置の実施の形態を図面を参照して説明する。
【００１４】
図１は、本発明に係るファクシミリ装置を示す概略図である。
【００１５】
図１において、公衆回線１から回路閉結検知部３および回路切換部５を介して留守番電話機７およびファクシミリ装置９が併設されている。なお、回路閉結検知部３および回路切換部５は、図１からも分かるように、ファクシミリ装置９の一部とされるのが一般的である。
【００１６】
回路閉結検知部３は、公衆回線１からの着信有無を検出するとともに、留守番電話機７およびファクシミリ装置９がオフフックされたことを検出して留守番電話機７およびファクシミリ装置９の動作の有無を捕捉するものであり、回路切換部５その他に接続されている。
【００１７】
回路切換部５は、留守番電話機７が優先的に応答する留守番電話モードに設定されている状態では留守番電話機７を公衆回線１に接続維持し、後述するように、留守番電話モードからファクシミリ装置９が着信応答するとき留守番電話機７を公衆回線１から切り離すものである。
【００１８】
留守番電話機７は、従来公知のものであり、留守番電話モードによってファクシミリ装置９より先に応答するようになっている。なお、留守番電話機７に限らず一般の通話用電話機等であっても良い。
【００１９】
ファクシミリ装置９は、上述した回路閉結検知部３および回路切換部５に加え、回路閉結検知部３を介した着信呼出信号を検出する呼出信号検出部１１やファクシミリ通信目的を示すＣＮＧ信号を検出するＣＮＧ検出部１３、回路切換部５を介した着信信号からデジタル画像データを復調するモデム１５、その画像データを印刷処理する画像処理部１７等、回路閉結検知部３に接続された基本的構成を有する他、以下の構成を有している。
【００２０】
すなわち、本発明のファクシミリ装置９は、カウント部１９、記憶部２１およびこれらを制御する切換制御部２３を有している。図１中の実線は呼出信号、ＣＮＧ信号、データ等の信号ラインを、破線は制御情報の信号ラインである。
【００２１】
なお、記憶部２１には、後述するように、初期値として予め所定の呼出回数、例えば２０（回）が記憶されている。
【００２２】
カウント部１９は、切換制御部２３の制御の下、公衆回線１から着信があって回路閉結検知部３から入力され呼出信号検出部１１で検出した呼出信号（鳴動周期）の回数をカウントして出力するものである。
【００２３】
記憶部２１は、切換制御部２３の制御の下、そのカウント回数その他を記憶するものである。
【００２４】
切換制御部２３は、通常、公衆回線１から着信があると、カウント部１９を制御して呼出信号検出部１１で検出した呼出信号の回数をカウント開始させるとともに、記憶部２１から呼出回数を読出し、カウント回数が呼出回数に達したとき、回線切換部５を制御して留守番電話機７を公衆回線１から切り離すとともに、ＣＧＮ検出部１３やモデム１５等を回路閉結検知部３に接続制御する機能を有している。この動作を、便宜上、留守番電話モードの下における通常モードとする。
【００２５】
切換制御部２３は、図示しない操作パネル（指示手段）からの指示に基づき、呼出信号検出部１１が着信呼出信号を検出したときその呼出信号の回数をカウント開始するよう上記カウント部１９を制御し、初期値としての呼出回数に達する前に留守番電話機７がオフフックされて応答したとき、そのカウント回数を記憶部２１に記憶制御する機能を有している。
【００２６】
この機能をサンプリングモードとし、ファクシミリ装置９を新規に設置した時点や任意の時点で実行可能に構成されており、複数回着信の平均値をカウント回数とする良い。
【００２７】
切換制御部２３は、例えばカウント回数を記憶部２１に記憶したとき、サンプリングモードを解除して上述した通常モードに戻るよう形成されるとともに、記憶部２１における呼出回数をカウント回数に変更設定する機能を有している。
【００２８】
サンプリングモードが解除されて通常モードに戻った後は、そのカウント回数に基づき上述したように切換え制御される。
【００２９】
なお、サンプリングモードにおいて、留守番電話機７が応答しない場合は、呼出回数が変更されることなく通常モードに戻るようになっている。
【００３０】
上述した呼出信号検出部１１、ＣＮＧ検出部１３、モデム１５、画像送受信部１７その他のファクシミリ装置９における基本的構成は従来と同様であるから、詳細な説明は省略する。
【００３１】
さらに、上述したファクシミリ装置９において、原稿から読み出した画像データをファクシミリ送信する機能も本発明の要部ではないから説明を省略する。
【００３２】
そして、それらカウント部１９、記憶部２１および切換制御部２３の動作は、例えば図示しない種々の演算判断機能を有するＣＰＵ、このＣＰＵの動作プログラムを格納したＲＯＭおよび入出力インターフェースを有する印刷制御用のマイクロコンピュータで構成されており、ファクシミリ装置９に搭載した従来機能を担うマイクロコンピュータにて兼用構成可能である。
【００３３】
次に、本発明に係るファクシミリ装置９の動作を図２のフローチャートを参照して説明する。
【００３４】
図２中の符号Ｍ（ステップＳ８、Ｓ１４）は、ファクシミリ装置９が応答するまでの着信呼出信号の回数であって、予め初期値として大きな回数例えば２０が設定されており、同図中の符号Ｓ（ステップＳ１２）は着信回数であって任意の初期値である。
【００３５】
ファクシミリ装置９においてサンプリングモードが指示されると、ステップＳ１にてサンプリングモードが開始され、ステップＳ２で着信回数ｓを「０」にリセットしてステップＳ３に移り、着信の有無が判別される。
【００３６】
着信がなくてステップＳ３がＮＯの場合には着信があるまでステップＳ３を繰り返し、着信があってＹＥＳになると、ステップＳ４でカウント回数ｎを「０」にリセットしてステップＳ５に移り、呼出信号の有無を判別する。
【００３７】
呼出信号が来なくてステップＳ５がＮＯの場合には来るまでステップＳ５を繰り返し、呼出信号が来てＹＥＳになると、ステップＳ６でカウント回数ｎを１ずつカウントアップ「ｎ＋１」してステップＳ７に移り、留守番電話機７の応答の有無が判別される。
【００３８】
留守番電話機７の応答がなくてＮＯの場合にはステップＳ８で初期値Ｍとカウント回数ｎが比較され、カウント回数ｎが初期値Ｍより小さい場合にはステップＳ８がＮＯとなってステップＳ５に移り、以降これを繰返す。
【００３９】
カウント回数ｎが初期値Ｍと同じ又は大きくなってステップＳ８がＹＥＳとなると、ステップＳ９に移って従来のファクシミリ装置（図ではＦＡＸと略す。）９が応答動作をしてステップＳ３へ戻る。
【００４０】
この動作は、留守番電話機７が応答せずにカウント回数ｎが初期値Ｍを超えた場合に、自動的にファクシミリ応答動作をするもので、従来の動作である。
【００４１】
カウント回数ｎが初期値Ｍを超える前に留守番電話機７の応答があってステップＳ７がＹＥＳになると、ステップＳ１０でカウント回数ｎを記憶し、続くステップＳ１１で着信回数ｓを１ずつカウントアップ「ｓ＋１」してステップＳ１２に移り、着信回数ｓが初期値Ｓを超えたか否か判別される。
【００４２】
ステップＳ１０では、カウント回数ｎの平均を算出して記憶するようにしても良い。
【００４３】
着信回数ｓが初期値Ｓより小さくてステップＳ１２がＮＯの場合にはステップＳ３に戻り、以降これを繰返す。
【００４４】
着信回数ｓが初期値Ｓと同じ又はこれを超えて大きくなってステップＳ１２がＹＥＳになると、ステップＳ１３に移ってサンプリングモードを終了解除して通常モードに切換え、続くステップＳ１４において、呼出回数としてカウント回数ｎを変更設定し、ステップＳ１５で留守番電話モード設定完了処理をして終了する。
【００４５】
このように本発明に係るファクシミリ装置９は、留守番電話機７が優先的に応答するよう設定された状態でその留守番電話機７に併設され、着信呼出信号をカウントするカウント部１９と、所定の呼出回数に達する前に当該電話機７が応答したときのそのカウント回数を設定するとともに、その着信呼出信号がそのカウント回数に達したとき留守番電話機７から切換え制御する切換制御部２３とを有する。
【００４６】
そのため、留守番電話機７のオフフック動作に応じたタイミングで留守番電話機７からファクシミリ装置９への切換え呼出回数を自動的にファクシミリ装置９に設定することが可能で、それらの設定が簡単で、誤設定も防止できる。
【００４７】
しかも、その呼出回数として設定するそのカウント回数が複数回の着信後のものであるから、直近の使用状態に近づけて設定される。
【００４８】
特に、その呼出回数として設定するそのカウント回数が複数回の着信平均であるから、最近の留守番電話７の応答時間にばらつきがあっても、現実の最近の使用状態に近づけて設定される。
【００４９】
さらにまた、通常モードに加えてカウント回数を設定するサンプリングモードを設け、当該設定後にそのサンプリングモードを解除するとともに設定されたカウント回数に基づき切換え制御するから、必要に応じてサンプリングモードを実行し、現実の使用状態に近づけた設定の下で、電話機からファクシミリ装置への切換えタイミングを設定することが可能である。
【００５０】
なお、本発明に係るファクシミリ装置９は、これ単体に限らず複写機やプリンタの複合機等に広く適用可能である。
【図面の簡単な説明】
【００５１】
【図１】本発明に係るファクシミリ装置の概略構成を示す図である。
【図２】本発明に係るファクシミリ装置の動作を説明するフローチャートである。
【符号の説明】
【００５２】
１  公衆回線
３  回路閉結検知部
５  回路切換部
７  留守番電話機
９  ファクシミリ装置
１１  呼出信号検出部
１３  ＣＮＧ検出部
１５  モデム
１７  画像処理部
１９  カウント部
２１  記憶部
２３  切換制御部
【図１】
2007221515.tif 000003
【図２】
2007221515.tif 000004